(57)【要約】【課題】作業し易くて簡素な構造で多機能の釣り糸処理用スティックを提供する。【解決手段】釣り糸処理用スティックとしてのシステムスティック１は、円筒スティック状の本体部２と、本体部２の他端に配置され釣り糸を挟持して固定するための釣り糸固定部３とを有する。釣り糸固定部３は、第１対向面部１１と、これの中央から外方へと延び出したねじ軸１３とが一体に形成されたベース５を有する。さらに、ねじ軸１３に対して自由状態で外嵌され第２対向面部１５を含む可動フランジ８と、ねじ軸１３に対して可動フランジ８の外方側からねじ結合されたナット１０と、第１および第２対向面部１１，１５に設けられリング状で樹脂製の第１および第２挟持部材６，７とを有する。ナット１０を回転すると、第１および第２挟持部材６，７が釣り糸を挟持して固定する。【選択図】図１
0003174043.tif 000002
【実用新案登録請求の範囲】
【請求項１】
一端が開放した円筒スティック状の本体部と、
前記本体部の他端に備えられ、釣り糸を挟持して固定するための釣り糸固定部とを有する釣り糸処理用スティックであって、
前記釣り糸固定部は、
一対の対向面部のうちの一方の対向面部と、前記一方の対向面部の中央から外方へと延び出したねじ軸とが一体に形成されたベースと、
前記ねじ軸に対して自由状態で外嵌され、前記一方の対向面部と対向する他方の対向面部を有する可動フランジと、
前記ねじ軸に対して、前記可動フランジの外方側からねじ結合された円盤状のナットと、
前記ベースの前記一方の対向面部に設けられ、リング状で樹脂製の第１挟持部材、および、前記可動フランジの前記他方の対向面部に設けられ、リング状で樹脂製の第２挟持部材を含み、前記ナットが回転されて前記可動フランジが前記ベース側に移動されることによって、釣り糸を挟持して固定することのできる挟持部材と、
を含むことを特徴とする、釣り糸処理用スティック。
【請求項２】
前記ねじ軸の突出側先端に、軸方向と交差方向に形成された小孔と、
前記小孔に嵌められ、前記スティックを任意の係止体に係止するための係止部材と、
をさらに含むことを特徴とする、請求項１記載の釣り糸処理用スティック。
【請求項３】
前記本体部の外周面に設けられ、当該外周面に釣り糸を数回巻き付けたときに釣り糸が滑らないようにするための樹脂製カバー部材をさらに有することを特徴とする請求項１または２記載の釣り糸処理用スティック。
【考案の詳細な説明】
【技術分野】
【０００１】
この考案は、釣り糸処理用スティックに関する。
【背景技術】
【０００２】
釣り糸処理用スティックは、例えば、竿の先端から引き出した釣り糸の先端側を挟持して、釣り糸に枝糸等を結ぶ処理を行い易くしたり、結んだ釣り糸に強い張力を加える等の処理を行うための道具である。この種の道具の先行技術としては、特許文献１に記載された器具が提案されている。
特許文献１の器具は、釣り糸を挟持する一対の挟持部材と、一対の挟持部材を互いに接近させたり遠ざけたりするためのねじ機構と、ねじ機構の動作時に一対の挟持部材の相対回転を阻止する回り止め構造とを有している。
【先行技術文献】
【特許文献】
【０００３】
【特許文献１】実用新案登録３１６９３３９号公報
【考案の概要】
【考案が解決しようとする課題】
【０００４】
しかしながら、特許文献１に記載の器具は、作業し易くするために前述の回り止め構造を有するので、構造が複雑になっていた。また、特許文献１の器具は、釣り糸を挟持するための機能しか有しておらず、別の処理を行えない。
そこで、この考案の目的は、作業し易くて簡素な構造で多機能の釣り糸処理用スティックを提供することである。
【課題を解決するための手段】
【０００５】
上記の目的を達成するために請求項１記載の考案は、一端が開放した円筒スティック状の本体部と、前記本体部の他端に備えられ、釣り糸を挟持して固定するための釣り糸固定部とを有する釣り糸処理用スティックであって、前記釣り糸固定部は、一対の対向面部のうちの一方の対向面部と、前記一方の対向面部の中央から外方へと延び出したねじ軸とが一体に形成されたベースと、前記ねじ軸に対して自由状態で外嵌され、前記一方の対向面部と対向する他方の対向面部を有する可動フランジと、前記ねじ軸に対して、前記可動フランジの外方側からねじ結合された円盤状のナットと、前記ベースの前記一方の対向面部に設けられ、リング状で樹脂製の第１挟持部材、および、前記可動フランジの前記他方の対向面部に設けられ、リング状で樹脂製の第２挟持部材を含み、前記ナットが回転されて前記可動フランジが前記ベース側に移動されることによって、釣り糸を挟持して固定することのできる挟持部材と、を含むことを特徴とする、釣り糸処理用スティックである。
【０００６】
請求項２の考案は、前記ねじ軸の突出側先端に、軸方向と交差方向に形成された小孔と、前記小孔に嵌められ、前記スティックを任意の係止体に係止するための係止部材と、をさらに含むことを特徴とする、請求項１記載の釣り糸処理用スティックである。
請求項３の考案は、前記本体部の外周面に設けられ、当該外周面に釣り糸を数回巻き付けたときに釣り糸が滑らないようにするための樹脂製カバー部材をさらに有することを特徴とする請求項１または２記載の釣り糸処理用スティックである。
【考案の効果】
【０００７】
請求項１記載の考案によれば、釣り糸を固定する際には、釣り糸を第１および第２挟持部材の間に挟んだ状態で、ベースに対してナットを締める向きに回す。このとき、ナットとベースとの間に可動フランジが介在するので、ナットの回転に対し挟持部材が供回りしない。従って、釣り糸を挟持し易く、挟持して緊張させた釣り糸に処理を施し易い。可動フランジは、ねじ軸に対して自由状態で外嵌されるという簡素な構造で、特別な回り止めは必要ない。また、軽く、携帯に便利な道具を提供できる。
【０００８】
請求項２記載の考案によれば、釣り糸処理用スティックを、任意の係止体、例えば、釣り人が着用している衣服の胸ポケット等に係止できる。よって、釣り糸を処理するときに、釣り糸処理用スティックを手で保持せずに済む。その結果、作業性が向上する。係止部材としては、例えば、金属リングやカラビナを採用できる。
請求項３記載の考案によれば、樹脂製カバー部材に釣り糸を巻き付けて強固に保持できるので、釣り糸に強い張力を加えることができる。
【図面の簡単な説明】
【０００９】
【図１】図１は、この考案の一実施形態の釣り糸処理用スティックとしてのシステムスティック１の部分断面正面図であり、（ａ）は、釣り糸を挟持可能な状態を示し、（ｂ）は、釣り糸を挟持しない状態を示す。
【図２】図２は、システムスティック１の使用状態を示す模式図である。
【考案を実施するための形態】
【００１０】
以下では、この考案の実施の形態にかかる釣り糸処理用スティック（以下、「システムスティック」という。）を、図面を参照しながら説明する。
図１は、この考案の一実施形態のシステムスティック１の部分断面正面図であり、（ａ）は、釣り糸を挟持可能な状態を示し、（ｂ）は、釣り糸を挟持しない状態を示す。
システムスティック１は、円筒スティック状の本体部２と、釣り糸を挟持して固定するための釣り糸固定部３とを有している。本体部２は、例えば、アルミ製の中空の円筒体で、軸方向Ｓの一端が開放されており、軸方向Ｓの他端に釣り糸固定部３が配置されている。なお、アルミ製でなく、鉄等の他の金属製、または硬い樹脂製とすることもできる。
【００１１】
釣り糸固定部３は、本体部２の他端に固定されたベース５と、このベース５に支持された第１挟持部材６と、この第１挟持部材６と軸方向Ｓに対向しこれと協働して釣り糸を挟持する第２挟持部材７と、この第２挟持部材７を支持する可動フランジ８と、ワッシャ９と、円盤状のナット１０とを有している。
ベース５は、円板状の第１対向面部１１と、本体部２の内周と嵌合する円柱状の嵌合部１２と、第１対向面部１１の中央から軸方向Ｓに外方に延び出したねじ軸１３とを有している。嵌合部１２と、第１対向面部１１と、ねじ軸１３とは、軸方向Ｓに並ぶとともに同心に配置されており、例えば、アルミで一体に形成されている。
【００１２】
可動フランジ８は、ベース５の第１対向面部１１に軸方向Ｓに相対向する円板状の第２対向面部１５と、この第２対向面部１５の中央部からねじ軸１３を取り囲みつつ軸方向Ｓに沿って第１対向面部１１に向けて突出した筒部１６とを有している。
可動フランジ８の内周は、円筒面により形成され、ねじ軸１３に対して自由状態で外嵌されている。これにより、可動フランジ８は、ねじ軸１３に対して相対回転せずに、ねじ軸１３に対して軸方向Ｓに移動することができる。
【００１３】
ベース５の第１対向面部１１と、第１挟持部材６と、第２挟持部材７と、可動フランジ８の第２対向面部１５と、ワッシャ９と、ナット１０とは、この記載の順に軸方向Ｓに沿って並んでいる。
また、ベース５のねじ軸１３が、可動フランジ８と、ワッシャ９と、ナット１０とを挿通している。ねじ軸１３の外周には、雄ねじが形成されている。この雄ねじにナット１０が、可動フランジ８の外方側からねじ結合している。ねじ軸１３およびナット１０は、ねじ機構を構成しており、第１対向面部１１に対し第２対向面部１５を接近させることができる。
【００１４】
ねじ軸１３の先端には、小孔１８が形成されている。この小孔１８は、ねじ軸１３を径方向（図１の紙面垂直方向に相当。）に貫通している。小孔１８は、ねじ軸１３を軸方向Ｓに交差する交差方向に貫通していればよい。小孔１８には、システムスティック１を任意の係止体に係止するための係止部材としての金属リング１９が取り付けられている。金属リング１９の外径は、ナット１０の内径よりも大きく、金属リング１９は、ナット１０がねじ軸１３から脱落することを阻止するための抜け止め部材としても機能する。
【００１５】
第１挟持部材６は、ベース５の第１対向面部１１に取り付けられている。第２挟持部材７は、可動フランジ８の第２対向面部１５に取り付けられている。第１および第２挟持部材６，７のそれぞれは、互いに同形とされ、樹脂製またはゴム製でリング状をなしている。
第１および第２挟持部材６，７のそれぞれは、軸方向Ｓに直交し互いに接触可能な環状面６１，７１と、これらの環状面６１，７１の外周縁から径方向外方に延設され釣り糸を挟むときの案内面としての円錐状テーパ面６２，７２とを有している。第１および第２挟持部材６，７の円錐状テーパ面６２，７２は、全体として断面Ｖ字形の周溝をなしている。
【００１６】
ナット１０が、例えば、時計回り（締める向きＭ１）に回転されると、第２対向面部１５が第１対向面部１１へ向けて移動する。これにより、図１（ａ）に示すように、第１および第２挟持部材６，７が互いに圧接され、その間に釣り糸を挟持できる。逆に、この状態からナット１０を反時計回り（緩む向きＭ２）に回転させると、図１（ｂ）に示すように、第１および第２挟持部材６，７が互いに離れて、挟持された釣り糸を開放できる。
【００１７】
本体部２の外周面は、筒状の樹脂製カバー部材２２で覆われている。カバー部材２２は、当該本体部２の外周面に釣り糸を数回巻き付けたときに釣り糸が滑らないようにするための部材であり、本体部２の外周に固定されている。
このシステムスティック１では、たとえば釣竿の先端から引き出した釣り糸、またはリールから引き出した釣り糸を固定する際には、釣り糸を第１および第２挟持部材６，７の間に挟んだ状態で、ナット１０を締める向きに回す。このとき、ナット１０とベース５との間の可動フランジ８は、ナット１０の回転に供回りしない。従って、釣り糸を挟持し易い。なお、可動フランジ８は、ねじ軸１３に対して自由状態で外嵌されるという簡素な構造でよく、回り止めは必要ない。従って、システムスティック１全体の構造を簡素化できる。さらに、後述するように、本体部２に釣り糸を巻き付けて、釣り糸に強い張力を加えることができる。
【００１８】
図２は、システムスティック１の使用状態を示す模式図である。システムスティック１は、たとえば釣り場において、釣り糸に処理をする際に用いられる。また、家において、釣りの事前準備として、釣り糸に処理をする際に用いられる。以下の説明は、前者の場合を例にとって説明する。
システムスティック１の金属リング１９にカラビナ２４が通されており、このカラビナ２４が、釣り人が着用している係止体としてのベスト等の衣類の環状部分２５に係止されている。
【００１９】
釣り人は、衣類につけたシステムスティック１を用い、次のように釣り糸の処理をする。
釣り竿の先端から釣り糸３１を引き出し、釣り糸３１の先端側３１ａをシステムスティック１により保持する。釣り糸３１は、釣り竿のリールを巻くことにより、ライン状に緊張させることができる。この状態の釣り糸３１に、例えば、枝糸３２を結ぶ作業を容易に行える。
【００２０】
結び目３３を締め込む際には、例えば、釣り糸３１を本体部２に巻き付けて、釣り糸３１を強く引っ張る。釣り糸３１は、本体部２の樹脂製カバー部材２２に巻き付けて強固に保持できるので、釣り糸に強力な張力を加えることができ、強固な結び目を容易に形成することができる。
なお、システムスティック１は、金属リング１９を取り外すことにより、釣り糸固定部３を分解することができる。よって、消耗部品、例えば、樹脂製の第１および第２挟持部材６，７を交換することができる。
【００２１】
この考案は、前述した実施形態に限定されるものではなく、実用新案登録請求の範囲に記載された事項の範囲で種々の設計変更を施すことが可能である。
【符号の説明】
【００２２】
１    システムスティック（釣り糸処理用スティック）
２    本体部
３    釣り糸固定部
５    ベース
６    第１挟持部材
７    第２挟持部材
８    可動フランジ
１０    ナット
１１    第１対向面部
１３    ねじ軸
１５    第２対向面部
１８    小孔
１９    金属リング
３１，３２    釣り糸
Ｓ    軸方向
【図１】
0003174043.tif 000003
【図２】
0003174043.tif 000004